(57)【要約】【課題】スーパーインポーズ表示を行うにあたって、カメラの大型化を抑止し、ストロボの配置およびファインダ倍率に影響を与えないように、照明光学系を配置するようにした一眼レフレックスカメラのファインダ装置を提供する。【解決手段】ペンタプリズム６と、被写体像が結像される焦点板４と、この焦点板４と平行して配置された表示板５を有している。また、基板９上の発光ダイオードは、表示板５の照射用の発光素子であり、この光はペンタプリズム６の側方近傍のダハ面６ｄのみより入射される。  【選択図】  図１
2009075381.tif 000002
【特許請求の範囲】
【請求項１】
一眼レフレックスカメラのファインダ表示装置において、
ペンタプリズムと、
被写体像が結像される焦点板と、
上記焦点板と平行して配置された表示板と、
上記表示板上に表示用の光を投射して上記表示板上に表示を行うため、上記ペンタプリズム側方近傍のダハ面のみより該光を上記ペンタプリズム内へ入射するための発光素子と、
上記発光素子からの上記光を上記表示板上に投射するための光学素子と、
を有することを特徴とする一眼レフレックスカメラのファインダ表示装置。
【請求項２】
上記ダハ面上には上記発光素子からの光を反射させてから上記ペンタプリズム内へと入射させる反射プリズム若しくは反射面が配置されていることを特徴とした一眼レフレックスカメラのファインダ表示装置。
【請求項３】
上記発光素子は、上記ペンタプリズムの側方に配置され、発光光をカメラ前方から後方へ射出し、該射出光を上記ダハ面に投射するための下方に折り曲げる反射面を有する反射プリズムを有することを特徴とする請求項１に記載の一眼レフレックスカメラのファインダ装置。
【請求項４】
一眼レフレックスカメラのファインダ表示装置において、
被写体像が結像される焦点板と、
上記焦点板と平行して配置された表示板と、
上記表示板と上記焦点板からの光束を接眼レンズに導くために、上記焦点板からの被写体光束を左右反転させながら上記カメラの前方へ反射する第１の反射面である一対のダハ面と該第１の反射面から反射された被写体光束をカメラ後方に反射する第２の反射面とを有する反射ミラー部材と、
上記表示板上に表示用の光を投射するため、反射ミラー部材側方近傍の上記ダハ面の反射領域外より該光を反射ミラー部材内に投射する発光素子と、
上記発光素子からの上記光を上記表示板上に投射するための光学素子と、
を有することを特徴とする一眼レフレックスカメラのファインダ表示装置。
【請求項５】
一眼レフレックスカメラのファインダ表示装置において、
正立の被写体像を得るためのダハ面を有するファインダ光学系と、
撮影レンズによって形成される被写体像の結像位置近傍に配置される表示部と、
上記表示部上に表示用の光を照射するための発光素子と、
上記発光素子からの上記光を上記ペンタプリズム側方近傍のダハ面のみより上記ペンタプリズム内へ入射するための光学素子と、
を有することを特徴とする一眼レフレックスカメラのファインダ表示装置。
【請求項６】
上記表示部は、被写体像を結像するフォーカシングスクリーンと平行に配置された表示板により構成されることを特徴とする請求項５に記載の一眼レフレックスカメラのファインダ装置。
【請求項７】
上記光学素子は、上記発光素子からの上記光を折り曲げて投射するための反射部材を含むことを特徴とする請求項５に記載の一眼レフレックスカメラ。
【請求項８】
上記表示部は、上記ファインダ光学系を保持する保持部材と一体に構成され、ユニット化されていることを特徴とする請求項５に記載の一眼レフレックスカメラ。
【発明の詳細な説明】
【技術分野】
【０００１】
本発明は、一眼レフレックスカメラのファインダ装置に関し、詳しくは、スーパーインポーズ表示のための照明光学系を有する一眼レフレックスカメラのファインダ装置に関する。
【背景技術】
【０００２】
一眼レフレックスカメラには、種々の機能があり、これらの機能のうち、例えば、マルチ測距ポイントやマルチ測光ポイントの表示等のために、ファインダ内においてスーパーインポーズ表示がしばしば採用されている。このスーパーインポーズ表示のために照明光をペンタプリズム等に入射させる方法として、ペンタプリズムの前側上部から入射する方法がある。
【０００３】
また、別の方法として、例えば、特許文献１には、照明光をペンタプリズムのダハ面と射出面の間から入射させるようしたカメラのファインダ内表示装置が開示されている。また、特許文献２には、照明光をペンタプリズムの側壁面から入射するようにしたファインダの表示装置が開示されている。
【特許文献１】特開２００５−３３１９３０号公報
【特許文献２】特開２００６−１０７８２号公報
【発明の開示】
【発明が解決しようとする課題】
【０００４】
ペンタプリズムの前側上部から照明光を入射させる方法では、カメラが大型化し、またストロボを内蔵させることが困難となる不具合がある。また、特許文献１に開示されているように、ダハ面と射出面の間から照明光を入射する場合には、ファインダ光学面を広くとることができず、ファインダ倍率を小さくせざるを得ないという不具合がある。さらに、特許文献２に開示されているように、側壁面から照明光を入射すると、照明光軸の角度が結像面に対して大きく傾斜しているため、単位面積当たりの光量が小さくなってしまうという不具合がある。
【０００５】
本発明は、このような事情を鑑みてなされたものであり、スーパーインポーズ表示を行うにあたって、カメラの大型化を抑止し、ストロボの配置およびファインダ倍率に影響を与えないように、照明光学系を配置するようにした一眼レフレックスカメラのファインダ装置を提供することを目的とする。
【課題を解決するための手段】
【０００６】
上記目的を達成するため第１の発明に係わる一眼レフレックスカメラのファインダ装置は、一眼レフレックスカメラのファインダ表示装置において、ペンタプリズムと、被写体像が結像される焦点板と、上記焦点板と平行して配置された表示板と、上記表示板上に表示用の光を投射して上記表示板上に表示を行うため、上記ペンタプリズム側方近傍のダハ面のみより該光を上記ペンタプリズム内へ入射するための発光素子と、上記発光素子からの上記光を上記表示板上に投射するための光学素子を有する。
【０００７】
第２の発明に係わる一眼レフレックスカメラのファインダ装置は、上記第１の発明において、上記ダハ面上には上記発光素子からの光を反射させてから上記ペンタプリズム内へと入射させる反射プリズム若しくは反射面が配置されている。
また、第３の発明に係わる一眼レフレックスカメラのファインダ装置は、上記第１の発明において、上記発光素子は、上記ペンタプリズムの側方に配置され、発光光をカメラ前方から後方へ射出し、該射出光を上記ダハ面に投射するための下方に折り曲げる反射面を有する反射プリズムを有する。
【０００８】
上記目的を達成するため第４の発明に係わる一眼レフレックスカメラのファインダ装置は、一眼レフレックスカメラのファインダ表示装置において、被写体像が結像される焦点板と、上記焦点板と平行して配置された表示板と、上記表示板と上記焦点板からの光束を接眼レンズに導くために、上記焦点板からの被写体光束を左右反転させながら上記カメラの前方へ反射する第１の反射面である一対のダハ面と該第１の反射面から反射された被写体光束をカメラ後方に反射する第２の反射面とを有する反射ミラー部材と、上記表示板上に表示用の光を投射するため、反射ミラー部材側方近傍の上記ダハ面の反射領域外より該光を反射ミラー部材内に投射する発光素子と、上記発光素子からの上記光を上記表示板上に投射するための光学素子を有する。
【０００９】
上記目的を達成するため第５の発明に係わる一眼レフレックスカメラのファインダ装置は、一眼レフレックスカメラのファインダ表示装置において、正立の被写体像を得るためのダハ面を有するファインダ光学系と、撮影レンズによって形成される被写体像の結像位置近傍に配置される表示部と、上記表示部上に表示用の光を照射するための発光素子と、上記発光素子からの上記光を上記ペンタプリズム側方近傍のダハ面のみより上記ペンタプリズム内へ入射するための光学素子を有する。
【００１０】
第６の発明に係わる一眼レフレックスカメラのファインダ装置は、上記第５の発明において、上記表示部は、被写体像を結像するフォーカシングスクリーンと平行に配置された表示板により構成される。
また、第７の発明に係わる一眼レフレックスカメラのファインダ装置は、上記第５の発明において、上記光学素子は、上記発光素子からの上記光を折り曲げて投射するための反射部材を含む。
さらに、第８の発明に係わる一眼レフレックスカメラのファインダ装置は、上記第５の発明において、上記表示部は、上記ファインダ光学系を保持する保持部材と一体に構成され、ユニット化されている。
【発明の効果】
【００１１】
本発明によれば、スーパーインポーズ表示を行うにあたって、カメラの大型化を抑止し、ストロボの配置およびファインダ倍率に影響を与えないように、照明光学系を配置するようにした一眼レフレックスカメラのファインダ装置を提供することができる。
【発明を実施するための最良の形態】
【００１２】
以下、図面に従って本発明を適用したデジタル一眼レフカメラを用いて好ましい実施形態について説明する。本発明の第１の実施形態に係わるデジタル一眼レフカメラは、撮影レンズによって形成される被写体像をファインダ光学系によって観察可能であると共に、多点測距の測距ポイントをスーパーインポーズ表示することが可能となっている。
【００１３】
図１は、本実施形態に係わるデジタル一眼レフカメラを正面側からみた要部内部配置図である。また、図２は、本実施形態のデジタル一眼レフカメラのペンタプリズム周辺の構造を示す斜視図であり、図３は、このペンタプリズム周辺の構造の分解斜視図であり、図４は、表示板を示す平面図である。
【００１４】
カメラ本体１の正面の略中央には、交換レンズの装着するためのボディマウント面２が設けられている。このボディマウント面２の開口部の奥には、被写体光束をペンタプリズム６側に反射させるための可動反射ミラー３が配置されている。この可動反射ミラー３が上昇位置に移動すると、交換レンズ内の撮影レンズを通過した被写体光束は撮像素子（不図示）上に結像する。
【００１５】
可動ミラー３の上方であって、可動反射ミラー３から撮像素子までと等価の距離に、フォーカシングスクリーン４が配置されている。このフォーカシングスクリーン４の上方に隣接して表示板５が配置されている。この表示板５は、スーパーインポーズ表示用であって、図４に示すように、測距枠である多点測距の測距ポイント５ａ（図４の例では、１１点）、評価測光範囲５ｂ、視野枠５ｃから構成される。多点測距の測距ポイント５ａは、表示板表面に微小プリズムで構成されており、スーパーインポーズ用の照明光が照射されると、微小プリズムで反射し、被写体像と共にファインダ接眼レンズに射出され、合焦箇所や合焦状態を観察することができる。なお、視野枠５ｃの下側には、表示板保持枠に設けられた露出制御値等の撮影情報表示部１６が設けられている。
【００１６】
表示板５の上方には、透明ガラスからなるペンタプリズム６が配置されている。このペンタプリズム６は、フォーカシングスクリーン４上に結像した被写体像を左右反転させるための公知の光学部材である。ペンタプリズム６の左右のダハ面６ｄには、その一部に、図３に示すように、銀蒸着などにより一対の反射面６ｂが施してあり、またペンタプリズム６の前方面にも反射面６ａが施してある。これら反射面としての銀蒸着などが施された後、接眼レンズに光を射出する後方にある射出面と、フォーカシングスクリーン４からの被写体光束が入射する入射面を除いてペンタプリズム全体に黒塗装が施されている。これら一対の反射面６ｂによって、被写体像は反転され、正立像として観察することができる。
【００１７】
なお、スーパーインポーズ用の照明光を入射するための黒塗装を施さない一部領域である透過領域（領域面）６ｃが、左右のダハ面６ｄにそれぞれ設けられている。この透過領域６ｃは、左右のダハ面６ｄの頂線に対して下側であり、ペンタプリズムの出射面に近い側に配置されている。
【００１８】
ダハ面６の透過領域６ｃの近傍には、スーパーインポーズ用の照明光を反射させるための反射プリズム７が配置されている。そして、この反射プリズム７の入射側には、スーパーインポーズ用の照明を行う発光ダイオードを有した基板９と、この発光ダイオードを有した基板９からの照射光を集光し投光するための投光レンズ８が配置されている。
【００１９】
これらの反射プリズム７、投光レンズ８および発光ダイオードを有した基板９の構成について、図２及び図３を用いて説明する。ペンタプリズム６を保持するペンタプリズム保持体１５にはピン１５ａと孔１５ｂが設けられている。反射プリズム７を保持する枠体１３の孔１３ａは、ピン１５ａに嵌合し、またネジ孔１５ｂおよびネジ孔１３ｂを介してネジ（不図示）によって、ペンタプリズム保持体１５に固定される。
【００２０】
また、枠体１３のスリット溝１３ｃには、投光レンズ８が形成されたレンズ部材１１と絞りとしての開口を有した絞り１２が挿入され、一体化される。さらに、枠体１３の面１３ｄには、発光ダイオードを有した基板９が接着で固定される。発光ダイオードを有した基板９は、複数の発光ダイオード素子が実装されており、それぞれの発光ダイオード素子の発光制御することにより、図４に示す、測距ポイント５ａ等に投光することができる。
【００２１】
前述の表示板５は、ペンタプリズム保持枠１５に保持されている。また、フォーカシングスクリーン４はスクリーン保持枠に保持され、このスクリーン保持枠は、カメラ本体に保持されている。すなわち、表示板５とフォーカシングスクリーン４は、それぞれ別々の保持体に保持されている。
【００２２】
以上のように構成されている本実施形態におけるスーパーインポーズの作用について説明する。交換レンズ内の撮影レンズを通過した被写体光束は、可動反射ミラー３によって反射され、フォーカシングスクリーン４上に結像する。この被写体像に重畳して、例えば、撮影レンズの焦点調節に使用する測距ポイントを表示する場合には、その測距ポイントに対応する発光ダイオード９の発光ダイオード素子を発光させる。
【００２３】
この投射光は、絞り開口１２、投光レンズ８を通り、反射プリズム７によって反射され、投射光の投射光軸はペンタプリズム６の透過面６ｃの入射ポイント１０において、ペンタプリズム６に入射する。この入射光は、表示板５の指定された測距ポイント５ａで反射され、被写体像に重畳して、ペンタプリズム６の反射面６ａ、６ｂで反射される。ユーザーは、この測距ポイント５ａが重畳した被写体像を、接眼レンズを介して観察することができる。
【００２４】
また、表示板５、ペン他プリズム６、反射プリズム７、投光レンズ８、発光ダイオードを有した基板９、絞り１２等は、ペンタプリズム保持枠１５に一体に取り付けられ、ユニット化される。このため、表示板５に対する投光位置の調整は、ユニット化された状態で行う。また、フォーカシングスクリーン４は、カメラ本体枠に取り付けられる。撮像素子、可動反射ミラー３とフォーカシングスクリーン４との位置調整は、これらの部材をカメラ本体枠に取り付けた状態で行う。
【００２５】
以上のように、本実施形態においては、ペンタプリズム６の側方ダハ面６ｄより照射光をペンタプリズム内に入射させ、表示板５に投射している。このように、ペンタプリズム６の前側上部から照明光を入射していないので、ストロボをカメラ上部に内蔵させるにあたって、邪魔にならない。また、ダハ面６ｄの側方にあることから、ペンタプリズム６の被写体光束の出射面を邪魔することがなく、ファインダ倍率を低下させることがない。ダハ面６ｄの側方、しかも被写体光束の出射面に近い側は、ペンタプリズム６が低くなる位置であり、ここに照明光学系を配置しているので、カメラ全体が大型化することがない。さらに、ペンタプリズム６の側方下側から入射するのに比較し、高い位置から照明光を投射できることから、単位面積当たりの光量を大きくとることができる。
【００２６】
スーバーインポーズ用の照明光学系は、基板９に実装された発光ダイオード、その照明光を導く投光レンズ８、枠体１３等から構成される。これらの光学系をペンタプリズム６のダハ面に対して略垂直に配置すると、カメラ全体が大型化してしまう。本実施形態においては、投光レンズ８と一体化した反射プリズム７によって、照明光を折り曲げることにより照明光学系をペンタプリズム８の側面に配置することにより、小型化を図っている。通常はペンタプリズムの側面の空間は空いており、本実施形態においては、この空間を有効に活用することができる。
【００２７】
また、フォーカシングスクリーン４は、可動反射ミラー３を挟んで撮像素子と等価の距離に調整する必要があり、一方、表示板５は、スーパーインポーズ用照明光学系との位置調整を行う必要がある。本実施形態のように、ペンタプリズムと表示板とをユニット化することにより、この位置調整が簡単になる。特に、フォーカシングスクリーン４と表示板５を一体化すると、フォーカシングスクリーン４の上記等価位置調整が困難であるが、本実施形態のように別ユニット化することにより、この等価位置を容易に調整することができる。
【００２８】
次に、本発明の第２実施形態について、図５を用いて説明する。第１実施形態においては、反射プリズム７を用いて、照射光を折り曲げてから、照明光をペンタプリズム６に入射させていた。本実施形態においては、図５に示すように、反射プリズムを用いずに、直接、ペンタプリズム６に入射させている。
【００２９】
すなわち、発光ダイオードが実装された基板９Ａから投射された照射光は、投光レンズ８Ａによって集光され、ペンタプリズム６の透過面からペンタプリズム６に入射される。これ以外の構成は、第１実施形態と同様であるので、詳細な説明は省略する。本実施形態によれば、第１実施形態に比較し、高さ方向が若干高くなるが、反射プリズムを要しない分、全体として安価にすることができる。
【００３０】
以上、説明したように、本発明の各実施形態によれば、ペンタプリズムの側方近傍のダハ面６ｄより照射光を入射するようにしたので、スーパーインポーズ表示を行うにあたって、カメラの大型化を抑止し、ストロボの配置およびファインダ倍率に影響を与えることがない。
【００３１】
なお、本実施形態においては、フォーカシングスクリーン４と表示板５を別体で構成していたが、一体に構成してもよい。ただし、この場合には、部品のばらつきを調整することが困難にはなる。
【００３２】
また、本実施形態においては、正立の被写体像を得るためにペンタプリズム６を用いていたが、ペンタプリズムの外形と同形状の反射鏡から構成するようにしても勿論構わない。この場合でも、発光ダイオードを有した基板９、９Ａからの照射光は、ダハ面６ｄを構成する反射鏡の一部に設けた透過部から入射させればよい。また、本実施形態の説明においては、表示板５に測距枠を設けたが、この表示板５を廃して、フォーカシングスクリーン上に測距枠を設けてもよい。
【００３３】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。
【図面の簡単な説明】
【００３４】
【図１】本発明の第１実施形態に係わるデジタル一眼レフカメラを正面からみた要部内部配置図である。
【図２】本発明の第１実施形態に係わるデジタル一眼レフカメラのペンタプリズム周辺の構造を示す斜視図である。
【図３】本発明の第１実施形態に係わるデジタル一眼レフカメラのペンタプリズム周辺の分解斜視図である。
【図４】本発明の第１実施形態におけるデジタル一眼レフカメラの表示板を示す平面図である。
【図５】本発明の第２実施形態に係わるデジタル一眼レフカメラを正面からみた要部内部配置図である。
【符号の説明】
【００３５】
１・・・カメラ本体、２・・・ボディマウント面、３・・・可動反射ミラー、４・・・フォーカシングスクリーン、５・・・表示板、５ａ・・・測距ポイント、５ｂ・・・評価測光範囲、５ｃ・・・視野枠、５ｄ・・・ファインダ表示、６・・・ペンタプリズム、６ａ・・・反射面、６ｂ・・・反射面、６ｃ・・・透過領域（領域面）、６ｄ・・・ダハ面、７・・・反射プリズム、８・・・投光レンズ、８Ａ・・・投光レンズ、９・・・発光ダイオードを有した基板、９Ａ・・・発光ダイオードを有した基板、１０・・・入射ポイント、１１・・・レンズ保持枠、１２・・・絞り、１３・・・枠体、１３ａ・・・孔、１３ｂ・・・ネジ孔、１３ｃ・・・スリット溝、１３ｄ・・・面、１５・・・ペンタプリズム保持体、１５ａ・・・ピン、１５ｂ・・・孔、１６・・・情報表示部
【図１】
2009075381.tif 000003
【図２】
2009075381.tif 000004
【図３】
2009075381.tif 000005
【図４】
2009075381.tif 000006
【図５】
2009075381.tif 000007